(57)【要約】【課題】フォワードフライバック方式のスイッチング電源においてスイッチング素子の耐圧特性を軽減する。【解決手段】トランスと、一次コイルを導通又は遮断するべく背反的にそれぞれオンオフ制御される、第１グループのスイッチング素子と第２グループのスイッチング素子とを有するスイッチング部と、入力側への還流を阻止するために一次コイルを含む電流路に直列接続された逆流防止素子と、二次コイルに接続された整流部と、整流部にそれぞれ接続された少なくとも１つのリアクトルと平滑コンデンサとを含む平滑部と、を有するフォワードフラバック方式の絶縁型スイッチング電源であって、フライバック電流が、二次コイルから、リアクトル特性を有する素子を含まないバイパス電流路を通って出力されるように構成される。【選択図】図１
2019165617.tif 000002
【特許請求の範囲】
【請求項１】
一次コイルと二次コイルとを有するトランスと、
前記一次コイルの電流を導通又は遮断するべく所定のインターバルを設けて互いに背反的にそれぞれオンオフ制御される、第１グループの少なくとも１つのスイッチング素子と第２グループの少なくとも１つのスイッチング素子とを有するスイッチング部と、
前記一次コイルに生じる逆起電力による入力側への還流を阻止するために前記一次コイルを含む電流路に直列接続された逆流防止素子と、
前記二次コイルに接続された整流部と、
前記整流部の後段に接続された少なくとも１つのリアクトルと平滑コンデンサとを含む平滑部と、を有し、
前記一次コイルの電流が導通すると前記二次コイルに流れるフォワード電流が前記リアクトルを通して出力され、かつ、前記一次コイルの電流が遮断されると前記リアクトルに流れる転流電流が出力されると共に前記二次コイルに流れるフライバック電流が出力されるように構成されたフォワードフラバック方式の絶縁型スイッチング電源であって、
前記フライバック電流が、前記二次コイルから、リアクトル特性の無い単なる導線と等価であるバイパス電流路を通って出力されるように構成されていることを特徴とする
絶縁型スイッチング電源。
【請求項２】
前記バイパス電流路が、前記リアクトルを含む電流路において該リアクトルを一時的に短絡状態とすることにより形成されるか、又は、前記バイパス電流路が、前記リアクトルを含む電流路を経由せずに前記フライバック電流を流すことが可能な別の電流路であることを特徴とする請求項１に記載の絶縁型スイッチング電源。
【請求項３】
前記リアクトルを含む電流路において該リアクトルを一時的に短絡状態とすることにより形成されるとき、
前記少なくとも１つのリアクトルが、第１及び第２のリアクトルであり、
（ａ）前記第１のリアクトルを一次コイルとし二次コイルを設けた第１の外付けトランスと、
（ｂ）前記第１の外付けトランスの二次コイルを含む第１の短絡電流路と、
（ｃ）前記第１の短絡電流路を導通又は遮断するべくオンオフ制御される第１のバイパス用スイッチング素子と、
（ｄ）前記第２のリアクトルを一次コイルとし二次コイルを設けた第２の外付けトランスと、
（ｄ）前記第２の外付けトランスの二次コイルを含む第２の短絡電流路と、
（ｅ）前記第２の短絡電流路を導通又は遮断するべくオンオフ制御される第２のバイパス用スイッチング素子と、を有し、
（ｆ）少なくとも前記第１又は第２のリアクトルにフライバック電流が流れ始める時点において前記第１又は第２の短絡電流路が導通しているように前記第１又は第２のバイパス用スイッチング素子が制御され、それにより、前記第１又は第２のリアクトルが短絡状態となることにより該第１又は第２のリアクトルを含む電流路が前記バイパス電流路となることを特徴とする
請求項２に記載の絶縁型スイッチング電源。
【請求項４】
前記バイパス電流路が、前記フライバック電流が前記リアクトルを経由せずに流れることができる別の電流路であるとき、
（ａ）前記トランスの二次コイルの始端と出力端子とを接続する第１のバイパス電流路と、
（ｂ）前記第１のバイパス電流路を導通又は遮断するべくオンオフ制御される第１のバイパス用スイッチング素子と、
（ｃ）前記トランスの二次コイルの終端と出力端子とを接続する第２のバイパス電流路と、
（ｄ）前記第２のバイパス電流路を導通又は遮断するべくオンオフ制御される第２のバイパス用スイッチング素子と、を有し、
（ｅ）少なくとも前記トランスの二次コイルにフライバック電流が流れ始める時点において、前記第１又は第２のバイパス電流路が導通しているように前記第１又は第２のバイパス用スイッチング素子が制御されることを特徴とする
請求項２に記載の絶縁型スイッチング電源。
【請求項５】
前記第１グループのスイッチング素子をオンオフ制御するための第１の制御電圧を入力され、前記第１の制御電圧のオフ時点から所定の時間後に前記第２のバイパス用スイッチング素子をオンからオフとする制御電圧を出力する第１のタイマーＩＣと、
前記第２グループのスイッチング素子をオンオフ制御するための第２の制御電圧を入力され、前記第２の制御電圧のオフ時点から所定の時間後に前記第１のバイパス用スイッチング素子をオンからオフとする制御電圧を出力する第２のタイマーＩＣと、を有することを特徴とする
請求項４に記載の絶縁型スイッチング電源。
【請求項６】
第１のコンデンサであってその両端電圧が、前記第１のバイパス用スイッチング素子の制御電圧として印加されるように接続された、該第１のコンデンサと、
第２のコンデンサであってその両端電圧が、前記第２のバイパス用スイッチング素子の制御電圧として印加されるように接続された、該第２のコンデンサとをさらに有し、
前記第１のコンデンサは、前記第１グループのスイッチング素子により前記一次コイルの電流が導通すると、前記二次コイルに流れるフォワード電流の一部により充電されると共に、前記一次コイルの電流が遮断されると放電され、該第１のコンデンサの両端電圧が一定電圧以上のときに前記第１のバイパス用スイッチング素子がオン状態となり、
前記第２のコンデンサは、前記第２グループのスイッチング素子により前記一次コイルの電流が導通すると、前記二次コイルに流れるフォワード電流の一部により充電されると共に、前記一次コイルの電流が遮断されると放電され、該第２のコンデンサの両端電圧が一定電圧以上のときに前記第２のバイパス用スイッチング素子がオン状態となることを特徴とする
請求項４に記載の絶縁型スイッチング電源。
【請求項７】
前記逆流防止素子が、前記第１グループのスイッチング素子のオン期間の電流が専ら流れる電流路上、及び、前記第２グループのスイッチング素子のオン期間の電流が専ら流れる電流路上に、それぞれ接続されることを特徴とする請求項１〜６のいずれかに記載の絶縁型スイッチング電源。
【請求項８】
前記スイッチング部が、フルブリッジ回路、プッシュプル回路又はハーフブリッジ回路のいずれかに基づいて構成されることを特徴とする請求項１〜７のいずれかに記載のスイッチング電源。
【発明の詳細な説明】
【技術分野】
【０００１】
本発明は、絶縁型スイッチング電源に関し、特にフォワードフライバック方式の絶縁型スイッチング電源に関する。
【背景技術】
【０００２】
交流を直流に電力変換するスイッチング電源として、力率改善回路としての非絶縁型昇圧コンバータとその後段の絶縁型ＤＣ／ＤＣコンバータとからなるツーコンバータ方式の絶縁型スイッチング電源が知られている。後段の絶縁型ＤＣ／ＤＣコンバータの代表的な方式として、フォワード方式とフライバック方式がある。大出力電源にはフォワード方式が適している。
【０００３】
一方、特許文献１、２等のように、力率改善機能を備えたワンコンバータ方式の絶縁型ＡＣ／ＤＣコンバータも知られている。通常、ワンコンバータ方式の絶縁型スイッチング電源は、非絶縁型昇圧コンバータと実質的に同じ動作をするフライバック方式で構成されている。フライバック方式は力率改善機能を有するが、大出力電源には適していない。
【０００４】
また、絶縁型スイッチング電源の一次側のスイッチング素子は、原理的には１つでよいが、大出力化やスイッチング素子の耐圧特性の軽減のために、特許文献３等のように複数のスイッチング素子からなるフルブリッジ回路やプッシュプル回路等が知られている。
【先行技術文献】
【特許文献】
【０００５】
【特許文献１】特開平５−２３６７４９号公報
【特許文献２】特開２００２−３００７８０号公報
【特許文献３】特開２０１５−７０７１６号公報
【発明の概要】
【発明が解決しようとする課題】
【０００６】
上述した従来のワンコンバータ方式の絶縁型スイッチング電源には、幾つかの問題点がある。ワンコンバータ方式の絶縁型スイッチング電源は、通常、力率をよくするためにフライバック方式が採用される。しかしながら、スイッチング素子のオフ時に生じるフライバック電圧に大きなスパイク電圧が加重されるため、一次側のスイッチング素子に耐圧特性が要求される。フルブリッジ方式等のスイッチング構成では耐圧特性が軽減されるが、十分に対応できない場合もある。
【０００７】
さらに、フルブリッジ方式等のスイッチング構成においては、適宜のインターバルを設けて背反的にオンオフする２つのグループのスイッチング素子が設けられ、それらのスイッチング素子として一般的にＭＯＳＦＥＴが用いられる。その場合、一方のグループのＦＥＴがオンからオフになったときにトランスの一次コイルに生じる逆起電力に対して、他方のグループのＦＥＴのボディダイオードが順バイアスとなる結果、入力側へ還流が流れる。このような還流は、スイッチング電源の電力変換効率を低下させることになる。
【０００８】
さらに、スイッチング電源の大出力化を図るためには、フォワード方式を採り入れることが望ましい。しかしながら、フォワード方式においては、スイッチング素子のオン時にトランスの二次コイルに生じる起電力が、出力端の平滑コンデンサの電圧を超えたときにのみ出力電流が流れる。従って、二次コイルの起電力が小さい範囲では電流が出力されず、このことが力率を悪化させる。
【０００９】
以上の現状から、本発明は、絶縁型スイッチング電源において、フライバック方式とフォワード方式の双方の長所を取り入れると共に、スイッチング素子の耐圧特性を軽減することを目的とする。
【課題を解決するための手段】
【００１０】
上記の目的を達成するべく、本発明は、以下の構成を提供する。
・本発明の態様は、一次コイルと二次コイルとを有するトランスと、
前記一次コイルの電流を導通又は遮断するべく所定のインターバルを設けて互いに背反的にそれぞれオンオフ制御される、第１グループの少なくとも１つのスイッチング素子と第２グループの少なくとも１つのスイッチング素子とを有するスイッチング部と、
前記一次コイルに生じる逆起電力による入力側への還流を阻止するために前記一次コイルを含む電流路に直列接続された逆流防止素子と、
前記二次コイルに接続された整流部と、
前記整流部の後段に接続された少なくとも１つのリアクトルと平滑コンデンサとを含む平滑部と、を有し、
前記一次コイルの電流が導通すると前記二次コイルに流れるフォワード電流が前記リアクトルを通して出力され、かつ、前記一次コイルの電流が遮断されると前記リアクトルに流れる転流電流が出力されると共に前記二次コイルに流れるフライバック電流が出力されるように構成されたフォワードフラバック方式の絶縁型スイッチング電源であって、
前記フライバック電流が、前記二次コイルから、リアクトル特性の無い単なる導線と等価であるバイパス電流路を通って出力されるように構成されていることを特徴とする。
・  上記態様において、前記バイパス電流路が、前記リアクトルを含む電流路において該リアクトルを一時的に短絡状態とすることにより形成されるか、又は、前記バイパス電流路が、前記リアクトルを含む電流路を経由せずに前記フライバック電流を流すことが可能な別の電流路であることが、好適である。
・  上記態様において、前記バイパス電流路が、前記リアクトルを含む電流路において該リアクトルを一時的に短絡状態とすることにより形成されるとき、
前記少なくとも１つのリアクトルが、第１及び第２のリアクトルであり、
（ａ）前記第１のリアクトルである一次コイルと、二次コイルとを具備する第１の外付けトランスと、
（ｂ）前記第１の外付けトランスの前記二次コイルを含む第１の短絡電流路と、
（ｃ）前記第１の短絡電流路を導通又は遮断するべくオンオフ制御される第１のバイパス用スイッチング素子と、
（ｄ）前記第２のリアクトルである一次コイルと、二次コイルとを具備する第２の外付けトランスと、
（ｄ）前記第２の外付けトランスの前記二次コイルを含む第２の短絡電流路と、
（ｅ）前記第２の短絡電流路を導通又は遮断するべくオンオフ制御される第２のバイパス用スイッチング素子と、を有し、
（ｆ）少なくとも前記第１又は第２のリアクトルにフライバック電流が流れ始める時点において前記第１又は第２の短絡電流路が導通しているように前記第１又は第２のバイパス用スイッチング素子が制御され、それにより、前記第１又は第２のリアクトルが短絡状態となることにより該第１又は第２のリアクトルを含む電流路が前記バイパス電流路となることが、好適である。
・  上記態様において、前記バイパス電流路が、前記リアクトルを含む電流路を経由せずに前記フライバック電流を流すことが可能な別の電流路であるとき、
（ａ）前記トランスの二次コイルの始端と出力端子とを接続する第１のバイパス電流路と、
（ｂ）前記第１のバイパス電流路を導通又は遮断するべくオンオフ制御される第１のバイパス用スイッチング素子と、
（ｃ）前記トランスの二次コイルの終端と出力端子とを接続する第２のバイパス電流路と、
（ｄ）前記第２のバイパス電流路を導通又は遮断するべくオンオフ制御される第２のバイパス用スイッチング素子と、を有し、
（ｅ）少なくとも前記トランスの二次コイルにフライバック電流が流れ始める時点において、前記第１又は第２のバイパス電流路が導通しているように前記第１又は第２のバイパス用スイッチング素子が制御されることが、好適である。
・  上記態様において、前記第１グループのスイッチング素子をオンオフ制御するための第１の制御電圧を入力され、前記第１の制御電圧のオフ時点から所定の時間後に前記第２のバイパス用スイッチング素子をオンからオフとする制御電圧を出力する第１のタイマーＩＣと、
前記第２グループのスイッチング素子をオンオフ制御するための第２の制御電圧を入力され、前記第２の制御電圧のオフ時点から所定の時間後に前記第１のバイパス用スイッチング素子をオンからオフとする制御電圧を出力する第２のタイマーＩＣと、を有することが、好適である。
・  上記態様において、第１のコンデンサであってその両端電圧が、前記第１のバイパス用スイッチング素子の制御電圧として印加されるように接続された、該第１のコンデンサと、
第２のコンデンサであってその両端電圧が、前記第２のバイパス用スイッチング素子の制御電圧として印加されるように接続された、該第２のコンデンサと、をさらに有し、
前記第１のコンデンサは、前記第１グループのスイッチング素子により前記一次コイルの電流が導通すると、前記二次コイルに流れるフォワード電流の一部により充電されると共に、前記一次コイルの電流が遮断されると放電され、かつ、前記第１のコンデンサの両端電圧が一定電圧以上のときに前記第１のバイパス用スイッチング素子がオン状態となり、
前記第２のコンデンサは、前記第２グループのスイッチング素子により前記一次コイルの電流が導通すると、前記二次コイルに流れるフォワード電流の一部により充電されると共に、前記一次コイルの電流が遮断されると放電され、かつ、前記第２のコンデンサの両端電圧が一定電圧以上のときに前記第２のバイパス用スイッチング素子がオン状態となることが、好適である。
・  上記態様において、前記逆流防止素子が、前記第１グループのスイッチング素子のオン期間の電流が専ら流れる電流路上、及び、前記第２グループのスイッチング素子のオン期間の電流が専ら流れる電流路上に、それぞれ接続されることが、好適である。
・  上記態様において、前記スイッチング部が、フルブリッジ回路、プッシュプル回路又はハーフブリッジ回路のいずれかに基づいて構成されることが、好適である。
【発明の効果】
【００１１】
本発明によるフォワード方式とフライバック方式を併用した絶縁型スイッチング電源は、フォワード方式による大出力化と、フライバック方式による力率改善の長所を有すると共に、フライバック時のスパイクを抑制できるのでスイッチング素子の耐圧特性を軽減することができる。
【図面の簡単な説明】
【００１２】
【図１】図１は、本発明の絶縁型スイッチング電源の第１の実施形態の回路例を概略的に示した図である。
【図２】図２は、図１の回路において、各スイッチング素子の制御電圧を示すタイミング図である。
【図３】図３は、図１の回路において、グループＡのスイッチング素子のオン期間（mode-I）に流れる電流を概略的に示している。
【図４】図４は、図１の回路において、グループＡのスイッチング素子のオフ期間（mode-II）に流れる電流を概略的に示している。
【図５】図５は、図１の回路において、グループＢのスイッチング素子のオン期間（mode-III）に流れる電流を概略的に示している。
【図６】図６は、図１の回路において、グループＢのスイッチング素子のオフ期間（mode-IV）に流れる電流を概略的に示している。
【図７】図７は、図１の回路において、各電圧及び各電流の波形の例を模式的に示したタイミング図である。
【図８】図８は、本発明の絶縁型スイッチング電源の第２の実施形態の回路例を概略的に示した図である。
【図９】図９（ａ）は、図８の回路において、グループＡのスイッチング素子のオフ期間（mode-II）に流れる電流を、（ｂ）はグループＢのスイッチング素子のオフ期間（mode-IV）に流れる電流を概略的に示している。
【図１０】図１０は、本発明の絶縁型スイッチング電源の第３の実施形態の回路例を概略的に示した図である。
【図１１】図１１（ａ）は、図１０の回路において、グループＡのスイッチング素子のオフ期間（mode-II）に流れる電流を、（ｂ）はグループＢのスイッチング素子のオフ期間（mode-IV）に流れる電流を概略的に示している。
【図１２】図１２は、第２及び第３の実施形態の回路におけるバイパス用スイッチング素子の制御電圧の一例を示したタイミング図である。
【図１３】図１３は、第２及び第３の実施形態の回路におけるバイパス用スイッチング素子の制御電圧の別の例を示したタイミング図である。
【図１４】図１４は、バイパス用スイッチング素子の制御電圧を生成する制御回路の一例を示す。
【図１５】図１５は、本発明の絶縁型スイッチング電源の第４の実施形態の回路例を概略的に示した図である。
【図１６】図１６は、第４の実施形態の回路におけるタイミング図の一例である。
【図１７】図１７（ａ）は、図１５の回路において、グループＡのスイッチング素子のオン期間（mode-I）に流れる電流を、（ｂ）はオフ期間（mode-II）に流れる電流を概略的に示している。
【図１８】図１８（ａ）は、図１５の回路において、グループＢのスイッチング素子のオン期間（mode-III）に流れる電流を、（ｂ）はオフ期間（mode-IV）に流れる電流を概略的に示している。
【図１９】図１９は、本発明の絶縁型スイッチング電源の第５の実施形態の回路例を概略的に示した図である。
【図２０】図２０（ａ）は、図１９の回路において、グループＡのスイッチング素子のオン期間（mode-I）に流れる電流を、（ｂ）はオフ期間（mode-II）に流れる電流を概略的に示している。
【図２１】図２１（ａ）は、図１９の回路において、グループＢのスイッチング素子のオン期間（mode-III）に流れる電流を、（ｂ）はオフ期間（mode-IV）に流れる電流を概略的に示している。
【図２２】図２２（ａ）（ｂ）は、それぞれ本発明のスイッチング電源のトランスの一次側における別の回路例を概略的に示した図である。
【図２３】図２３は、第１の実施形態の変形形態の回路例を概略的に示した図である。
【発明を実施するための形態】
【００１３】
以下、例として示した図面を参照して本発明の実施形態を説明する。各図面中、各実施形態の同一又は類似する構成要素については、同じ符号を用いている。
【００１４】
本発明の絶縁型スイッチング電源は、典型的にはワンコンバータ方式のＡＣ／ＤＣコンバータをターゲットとしている。従って、本発明のスイッチング電源における典型的な入力電圧は、正弦波の交流電圧を整流したものである。しかしながら、本発明のスイッチング電源は、入力電圧が、正弦波以外の方形波若しくは三角波の電圧、又は一定電圧のときも、同様に機能することができる。
【００１５】
（１）第１の実施形態
（１−１）第１の実施形態の回路構成
図１は、本発明の絶縁型スイッチング電源の第１の実施形態の回路例を概略的に示した図である。
【００１６】
＜トランスＴの一次側の構成＞
図１の絶縁型スイッチング電源は、交流電圧を全波整流した入力電圧が入力端子１、２に入力される。ここでの交流電圧は、例えば、系統電源又は各種の発電装置で生成される数Ｈｚ〜数十Ｈｚ程度の周波数を有する正弦波である。しかしながら、入力電圧の波形は正弦波に限られず、正電位の任意の波形とすることができる。
【００１７】
メイントランスであるトランスＴは、一次コイルＮ１と二次コイルＮ２が同極性に巻かれたフォワードトランスである（コイルの巻き始端を黒丸で示す）。トランスＴの一次側には、入力電圧により一次コイルＮ１に流れる電流を導通又は遮断するべくそれぞれオンオフ制御される複数のスイッチング素子を有するスイッチング部が設けられている。
【００１８】
図１のスイッチング部は、基本的にフルブリッジ回路を構成している。このフルブリッジ回路は、４個のスイッチング素子ＱＡ１、ＱＡ２、ＱＢ１、ＱＢ２を有し、ここでは一例としてＮチャネルＭＯＳＦＥＴである。フルブリッジ回路は、大出力のスイッチング電源に好適である。スイッチング素子ＱＡ１、ＱＡ２が、同時にオンオフ制御される第１のグループ（以下「グループＡ」と称する）を構成し、スイッチング素子ＱＢ１、ＱＢ２が、同時にオンオフ制御される第２のグループ（以下「グループＢ」と称する）を構成する。
【００１９】
スイッチング部の各スイッチング素子は、制御端であるゲートに印加される制御電圧によりオンオフ制御される。一次側のスイッチング部におけるオンオフ制御電圧は、いずれもＰＷＭ信号である。ＰＷＭ信号の周波数は、入力交流の周波数よりも高い数十ｋＨｚ〜数百ｋＨｚである。グループＡの各スイッチング素子は、制御電圧ＶＡによりオンオフ制御され、グループＢの各スイッチング素子は、制御電圧ＶＢによりオンオフ制御される。
【００２０】
正の入力端子１と一次コイルＮ１の始端の間に、スイッチング素子ＱＡ１が直列接続されている。一次コイルＮ１の終端と負の入力端子２の間に、逆流防止ダイオードＤＡ１とスイッチング素子ＱＡ２が直列接続されている。
【００２１】
同様に、正の入力端子１と一次コイルＮ１の終端との間に、スイッチング素子ＱＢ１が直列接続されている。一次コイルＮ１の始端と負の入力端子２との間に、逆流防止ダイオードＤＢ１とスイッチング素子ＱＢ２が直列接続されている。
【００２２】
図１のスイッチング部は、基本的なフルブリッジ回路とは異なり、一次コイルを含む電流路に逆流防止ダイオードＤＡ１、ＤＢ１が直列接続されている。逆流防止ダイオードＤＡ１、ＤＢ１の極性は、スイッチング素子ＱＡ１、ＱＡ２、ＱＢ１及びＱＢ２のボディダイオードのそれとは逆方向である。
【００２３】
逆流防止ダイオードＤＡ１、ＤＢ１は、図１に示した位置以外に入力端子１と入力端子２の間の電流路上のいずれかの位置に直列に挿入することができる。
【００２４】
好適には、逆流防止ダイオードＤＡ１、ＤＢ１は、スイッチング素子ＱＡ１とスイッチング素子ＱＢ１のドレイン同士の接続点と、スイッチング素子ＱＡ２とスイッチング素子Ｂ２のソース同士の接続点の間の電流路にそれぞれ挿入される。言い換えると、逆流防止ダイオードＤＡ１は、グループＡのスイッチング素子のオン期間電流が専ら流れる電流路に直列に挿入され、一方、逆流防止ダイオードＤＢ１は、グループＢのスイッチング素子のオン期間電流が専ら流れる電流路に直列に挿入されることが好適である。
【００２５】
なお、入力端子１、２の少なくとも一方のライン上にダイオードを挿入した場合も逆流防止機能を実現できる。しかしながら、入力ライン上に逆流防止ダイオードを挿入した場合、スイッチング素子がオンからオフとなったときにリカバリ電流を生じる点で不利である。但し、ファーストリカバリダイオード（ＦＲＤ）、シリコンカーバイト（ＳＩＣ）を用いたショットキーダイオード等を用いた場合は、これらの入力ライン上に逆流防止ダイオードを挿入することも可能である。
【００２６】
さらに、別のスイッチング素子として、バイパス用スイッチング素子Ｓ１とＳ２が設けられている。これらも、一例としてＭＯＳＦＥＴとすることができる。
【００２７】
第１のバイパス用スイッチング素子Ｓ１は、ダイオードＤＡ５及びリアクトルＬＡ２と共に第１の短絡電流路を形成している。リアクトルＬＡ２は、後述する二次側に設けられる第１の外付けトランスＴＡの二次コイルである。ダイオードＤＡ５は、アノードがリアクトルＬＡ２の始端に、カソードがスイッチング素子Ｓ１のドレインに接続されている。スイッチング素子Ｓ１のソースとリアクトルＬＡ２の終端は、負の入力端子２に接続されている。スイッチング素子Ｓ１は、第１の短絡電流路を導通又は遮断するためにオンオフ制御される。
【００２８】
同様に、第２のバイパス用スイッチング素子Ｓ２は、ダイオードＤＢ５及びリアクトルＬＢ２と共に第２の短絡電流路を形成している。リアクトルＬＢ２は、後述する二次側に設けられる第２の外付けトランスＴＢの二次コイルである。ダイオードＤＢ５は、アノードがリアクトルＬＢ２の始端に、カソードがスイッチング素子Ｓ２のドレインに接続されている。スイッチング素子Ｓ２のソースとリアクトルＬＢ２の終端は、負の入力端子２に接続されている。スイッチング素子Ｓ２は、第２の短絡電流路を導通又は遮断するためにオンオフ制御される。
【００２９】
第１及び第２の外付けトランスＴＡ、ＴＢの一次コイルに流れる電流は、スイッチング電源の設計により多様な値となり得る。この場合、一次コイルに流れる電流に合わせて一次コイルＬＡ１、ＬＢ１と二次コイルＬＡ２、ＬＢ２の巻数比を適切に設定することにより、一次コイルに流れる電流の大きさが大きく異なってもバイパス用スイッチング素子Ｓ１、Ｓ２として同じ規格の素子を用いることができる。
【００３０】
図１の例では、バイパス用スイッチング素子Ｓ１の制御電圧は、グループＡのスイッチング素子の制御電圧ＶＡを反転した電圧であり、バイパス用スイッチング素子Ｓ２の制御電圧は、グループＢのスイッチング素子の制御電圧ＶＢを反転した電圧である。しかしながら、これは一例であり、バイパス用スイッチング素子Ｓ１及びＳ２の各々を、フルブリッジ回路の各スイッチング素子の制御電圧とは独立した制御電圧により制御することもできる。図示しないが、図１に示す各スイッチング素子のオンオフ制御電圧として所定のＰＷＭ信号を生成し、出力する制御部が別途設けられている。
【００３１】
＜トランスＴの二次側の構成＞
トランスＴの二次側には、整流部及びその後段の平滑部が配置されている。正の出力端子ｐと負の出力端子ｎの間には平滑コンデンサＣが接続されている。
【００３２】
図１の回路例における整流部は、４つのダイオードＤＡ２、ＤＡ３、ＤＢ２、ＤＢ３からなるブリッジ整流回路を基本とする形態である。第１の対である正側ダイオードＤＡ２と負側ダイオードＤＡ３が直列接続され、第２の対である正側ダイオードＤＢ２と負側ダイオードＤＢ３が直列接続されている。
【００３３】
直列接続された第１の対のダイオードＤＡ２とＤＡ３の接続点は、二次コイルＮ２の始端に接続されている。直列接続された第２の対のダイオードＤＢ２とＤＢ３の接続点は、二次コイルＮ２の終端に接続されている。負側ダイオードＤＡ３、ＤＢ３の各々のアノードは、平滑コンデンサＣの負極端及び負の出力端子ｎに接続されている。ここで、通常のブリッジ整流回路とは異なり、正側ダイオードＤＡ２、ＤＢ２の各々のカソードは互いに接続されていない。
【００３４】
図１の回路にはさらに、第１の外付けトランスＴＡ及び第２の外付けトランスＴＢが設けられている。正側ダイオードＤＡ２のカソードは、第１の外付けトランスＴＡの一次コイルである第１のリアクトルＬＡ１の始端に接続されている。正側ダイオードＤＢ２のカソードは、第２の外付けトランスＴＢの一次コイルである第２のリアクトルＬＢ１の始端に接続されている。リアクトルＬＡ１、ＬＢ１の各々の終端は、平滑コンデンサＣの正極端及び正の出力端子ｐに接続されている。リアクトルＬＡ１、ＬＢ１は、フォワード方式のスイッチング電源における外付けの直列リアクトルに相当する。
【００３５】
好適例として、フォワード方式電源におけるフリーホイーリングダイオードとしてのダイオードＤＡ４、ＤＢ４を設けている。ダイオードＤＡ４のアノードは負の出力端子ｎに、カソードはリアクトルＬＡ１の始点に接続されている。ダイオードＤＢ４のアノードは負の出力端子ｎに、カソードはリアクトルＬＢ１の始点に接続されている。ダイオードＤＡ４とＤＢ４は必須ではない。ダイオードＤＡ４が無い場合はダイオードＤＡ２とＤＡ３が、そしてダイオードＤＢ４が無い場合はダイオードＤＢ２とＤＢ３が、それぞれフリーホイーリングダイオードの役割を果たすことができる。
【００３６】
外付けトランスＴＡ、ＴＢの各々の二次コイルであるリアクトルＬＡ２、ＬＢ２は、上述した通り、トランスＴの一次側の回路に含まれる素子である。この構成により、リアクトルＬＡ１、ＬＢ１に流れる電流に対する制御を、トランスＴの一次側の制御信号を用いて絶縁を確保しつつ行うことができる。
【００３７】
（１−２）第１の実施形態の回路動作
図２〜図７を参照して、図１に示した第１の実施形態の回路の動作を説明する。
【００３８】
図２は、図１の回路における各スイッチング素子のオンオフ制御信号を示すタイミング図である。図２（ａ）は、フルブリッジ回路のグループＡのスイッチング素子の制御電圧ＶＡである。図２（ｂ）は、フルブリッジ回路のグループＢのスイッチング素子の制御電圧ＶＢである。図２（ｃ）は、リアクトルＬＡ２を含む短絡電流路を導通又は遮断するバイパス用スイッチング素子Ｓ１の制御電圧ＶＳ１である。図２（ｄ）は、リアクトルＬＢ２を含む短絡電流路を導通又は遮断するバイパス用スイッチング素子Ｓ２の制御電圧ＶＳ２である。
【００３９】
図２（ａ）（ｂ）に示すように、フルブリッジ回路に含まれるグループＡのスイッチング素子とグループＢのスイッチング素子とは、所定のインターバル（双方のグループがオフとなる期間）を設けて互いに背反的にオンオフ制御される。双方のグループのオン期間の長さは同じであり、オフ期間の長さも同じである。また、図２（ｃ）（ｄ）に示すように、バイパス用スイッチング素子Ｓ１、Ｓ２の制御電圧は、それぞれグループＡ、Ｂのスイッチング素子の制御電圧の反転電圧である。
【００４０】
図１の回路の動作は、主として４つのモードＩ、II、III、IVを有する。各モードの期間は、おおよそ次の通りとなる。
モードＩ：グループＡのスイッチング素子のオン期間
モードII：グループＡのスイッチング素子のオフ期間
モードIII：グループＢのスイッチング素子のオン期間
モードIV：グループＢのスイッチング素子のオフ期間
【００４１】
なお、２つのモードが互いに重なる期間があるが、重なった期間に回路に流れる各モードの電流は独立しており、互いに影響せずに重ね合わされるだけである。
【００４２】
図２中の矢印は、４つのモードＩ、II、III、IVの各々において特徴的な電流が流れる時点の一例を示している。図３〜図６は、図２に示した４つの時点の各々において図１の回路に流れる特徴的な電流を概略的に示している。
【００４３】
図７は、図１の回路における各電圧及び各電流の波形の例を模式的に示したタイミング図である。
図７（ａ）（ｂ）はそれぞれ、図２（ａ）（ｂ）と同じ制御電圧ＶＡ、ＶＢである。
図７（ｃ）は、トランスＴの一次コイルＮ１を流れる電流ＩＮ１であり、（ｄ）は二次コイルＮ２を流れる電流ＩＮ２である。
図７（ｅ）（ｆ）は、それぞれトランスＴの二次コイルＮ２の始端の電位Ｖｘ、終端の電位Ｖｙである。
図７（ｇ）は、トランスＴＡの一次コイルＬＡ１を流れる電流ＩＬＡ１であり、（ｈ）は二次コイルＬＡ２を流れる電流ＩＬＡ２である。
図７（ｉ）は、トランスＴＢの一次コイルＬＢ１を流れる電流ＩＬＢ１であり、（ｊ）は二次コイルＬＢ２を流れる電流ＩＬＢ２である。
以下、図２〜図７を参照して、各モードの動作を説明する。
【００４４】
＜モードＩ＞
モードＩは、グループＡのスイッチング素子ＱＡ１、ＱＡ２のオン期間である。図３（mode-I）中の矢印付き実線は、グループＡのスイッチング素子がオンになった直後の電流を示している。グループＡのスイッチング素子がオンになると、一次コイルＮ１に電流ｉ１が流れる（図７（ｃ）参照）。この電流ｉ１は、逆流防止ダイオードＤＡ１の順方向に流れる。
【００４５】
一次コイルに電流ｉ１が流れる結果、相互誘導により二次コイルＮ２に起電力（図７（ｅ）参照）を生じ、順バイアスとなるダイオードＤＢ３とＤＡ２を通して電流ｉ２が流れ（図７（ｄ）参照）、リアクトルＬＡ１を通って出力端子ｐへ出力され負荷に供給される（図７（ｇ）参照）。電流ｉ２は、トランスＴの相互誘導によるフォワード電流である。フォワード電流ｉ２によりリアクトルＬＡ１は励磁されて磁気エネルギーが蓄積される。その他のダイオードは、逆バイアスとなるため電流が流れない。
【００４６】
トランスＴＡの二次コイルであるリアクトルＬＡ２は、一次コイルであるリアクトルＬＡ１に電流ｉ２が流れることにより起電力が生じるが、バイパス用スイッチング素子Ｓ１がオフであるので電流は流れない。
【００４７】
ここで、定常状態における平滑コンデンサＣは、リップル変動を除いてほぼ一定の電圧で充電されている。従って、フォワード電流ｉ２は、二次コイルＮ２の起電力が平滑コンデンサＣの電圧を超えたときにのみ流れる。入力端子１、２に、例えば正弦波の入力電圧が印加される場合、入力電圧の小さい範囲では、二次コイルＮ２の起電力も小さいため、フォワード電流ｉ２は出力端子ｐ、ｎに出力されない。これはフォワード動作の特徴であり、力率を低下させる原因となる。
【００４８】
＜モードII＞
モードIIは、グループＡのスイッチング素子ＱＡ１、ＱＡ２のオフ期間である。図４（mode-II）中の矢印付き実線及び点線は、グループＡのスイッチング素子がオフになった直後の電流をそれぞれ示している。グループＡのスイッチング素子がオフになると、一次コイルＮ１及び二次コイルＮ２に逆起電力が発生する。一次コイルＮ１の逆起電力は、グループＢのスイッチング素子ＱＢ１、ＱＢ２のボディダイオード（図４参照）に対して順バイアスであるが、逆流防止ダイオードＤＢ１が電流路に挿入されているため、入力側への還流は阻止される。この結果、還流がある場合には入力側に戻されるエネルギーが、本回路ではトランスＴに留まる。
【００４９】
一方、二次コイルＮ２は、逆起電力により始端が低電位、終端が高電位となる（図７（ｆ）参照）。リアクトルＬＡ１には、矢印付き実線で示すように、順バイアスとなるフリーホイーリングダイオードＤＡ４を介して転流電流である電流ｉ３が流れ、出力端子ｐに出力され負荷に供給される（図７（ｇ）参照）。これにより、オン期間にリアクトルＬＡ１に蓄積された磁気エネルギーが放出される。
【００５０】
さらに、二次コイルＮ２の逆起電力（図７（ｆ）参照）によりダイオードＤＡ３とＤＢ２が順バイアスとなり、矢印付き点線で示すようにフライバック電流ｉｆｂ１が流れ、リアクトルＬＢ１を通って出力端子ｐに出力され負荷に供給される（図７（ｄ）（ｉ）参照）。フライバック電流ｉｆｂ１は、一次側の逆流防止ダイオードＤＢ１により還流が阻止されたためにトランスＴに留められた磁気エネルギーの放出によるものである。
【００５１】
本回路では入力側への還流が無い替わりに二次コイルＮ２にフライバック電流ｉｆｂ１が流れることにより、トランスＴの磁気リセットが行われる。
【００５２】
また、フライバック電流ｉｆｂ１は、フォワード電流ｉ２とは異なり、二次コイルＮ２に生じる逆起電力が小さいときであっても、逆起電力の大きさに応じた大きさで出力端子ｐへ出力される。従って、例えば正弦波の入力電圧の場合、入力電圧が小さい範囲においてもフライバック電流ｉｆｂ１が流れることによって力率が改善される。このように、本発明の回路は、フォワード方式とフライバック方式を併用したフォワードフライバック方式と云える。
【００５３】
さらに、フライバック電流ｉｆｂ１がリアクトルＬＢ１を流れる（図７（ｉ）参照）ことにより、トランスＴＢの二次コイルであるリアクトルＬＢ２に相互誘導による起電力が生じる。リアクトルＬＢ２の起電力によりダイオードＤＢ５が順バイアスとなりかつこのときバイパス用スイッチング素子Ｓ２はオンであるので、矢印付き点線で示すように短絡電流路に短絡電流ｉｓ１が流れる（図７（ｊ）参照）。二次コイルＬＢ２に短絡電流ｉｓ１が流れることにより、一次コイルであるリアクトルＬＢ１も、その両端が短絡された状態と等価になる。
【００５４】
リアクトルＬＢ１が短絡状態になることは、フライバック電流ｉｆｂ１がダイオードＤＢ２のカソードから直接、正の出力端子ｐへ出力される回路と等価になる。
【００５５】
モードIIにおけるリアクトルＬＢ１の短絡状態とは、リアクトルＬＢ１がそのリアクトル特性を消失させられ、実質的に導線と等価の状態となることを意味する。このように二次コイルＮ２から流れ出るフライバック電流が、リアクトル特性の無い単なる導線を通って出力端子へ流れるように誘導される場合、その電流路を、以下、フライバック電流用の「バイパス電流路」と称することとする。
【００５６】
第１の実施形態におけるバイパス電流路は、永続的な回路要素ではなく、リアクトルを含む電流路においてリアクトルを一時的に短絡状態とすることによって実現される。それに対し、後述する第３、４及び５の実施形態では、バイパス電流路が永続的な回路要素により実現される。具体的には、バイパス電流路が、リアクトルを含む電流路以外の別の電流路により実現される。従って、本発明におけるフライバック電流用のバイパス電流路は、リアクトルを一時的に短絡状態とすることにより実現される場合と、永続的な回路要素として実現される場合がある。
【００５７】
このようなフライバック電流ｉｆｂ１が流れる結果、スイッチング素子のオフ時に二次コイルＮ２に生じる大きなスパイク電圧ｓｐ（図７（ｆ）の点線参照）が完全に抑制される。それにより、一次コイルＮ１に生じるスパイク電圧も抑制されることから、一次側のスイッチング部における各スイッチング素子の耐圧特性を軽減することができる。加えて、スナバ回路を不要又は縮小することができ、スナバ回路による損失も低減できる。
【００５８】
図１の回路において、モードIIのフライバック電流ｉｆｂ１が流れる時にリアクトルＬＢ１を短絡状態とするための条件は、少なくともリアクトルＬＢ１にフライバック電流ｉｆｂ１が流れ始める時点において、リアクトルＬＢ２を含む短絡電流路が導通していることである。例えば、グループＡのスイッチング素子がオンからオフになる時点の前後を含む所定の期間にバイパス用スイッチング素子Ｓ２をオン状態に維持し、短絡電流路を導通させる。この所定の期間は、スパイク電圧ｓｐの抑制に必要かつ十分な長さであればよい。図２（ｄ）に、バイパス用スイッチング素子Ｓ２をオン状態に維持するべき期間の一例を符号ｔIIで示す。
【００５９】
逆に言えば、期間ｔII以外の期間については、バイパス用スイッチング素子Ｓ２はオン状態でもオフ状態でもよいと言える。仮に、短絡電流が流れるべきでないときにバイパス用スイッチング素子Ｓ２がオン状態であってもダイオードＤＢ５が逆バイアスとなることにより短絡電流が阻止される。
【００６０】
但し、バイパス用スイッチング素子Ｓ２のオン期間は、グループＢのスイッチング素子のオン期間と重ならないようにする（図１の回路では、これらの制御電圧が互いに反転電圧であるので一応重ならない）。グループＢのスイッチング素子とバイパス用スイッチング素子Ｓ２のオン状態が重なった場合、後述するモードIIIでフォワード電流ｉ５が流れるリアクトルＬＢ１が短絡してしまうからである。
【００６１】
＜モードIII＞
モードIIIは、グループＢのスイッチング素子ＱＢ１、ＱＢ２のオン期間である。モードIIIは、電流が対称的な経路を流れることを除いて、上述したモードＩと実質的に同じ動作となるので、簡単に説明する。
【００６２】
図５（mode-III）中の矢印付き実線は、グループＢのスイッチング素子がオンになった直後の電流を示している。グループＢのスイッチング素子がオンになると、一次コイルＮ１に電流ｉ４が流れる（図７（ｃ）参照）。この電流ｉ１は、逆流防止ダイオードＤＢ１の順方向に流れる。
【００６３】
一方、二次コイルＮ２に生じた起電力（図７（ｆ）参照）により、順バイアスとなるダイオードＤＡ３とＤＢ２を通してフォワード電流ｉ５が流れ（図７（ｄ）参照）、リアクトルＬＢ１を通って出力端子ｐへ出力され負荷に供給される（図７（ｉ）参照）。リアクトルＬＢ１は励磁されて磁気エネルギーが蓄積される。
【００６４】
トランスＴＢの二次コイルであるリアクトルＬＢ２には起電力が生じるが、スイッチング素子Ｓ２がオフであるので電流は流れない。
【００６５】
＜モードIV＞
モードIVは、グループＢのスイッチング素子ＱＢ１、ＱＢ２のオフ期間である。モードIVは、電流が対称的な経路を流れることを除いて、上述したモードIIと実質的に同じ動作となるので、簡単に説明する。
【００６６】
図６（mode-IV）中の矢印付き実線及び点線は、グループＢのスイッチング素子がオフになった直後の電流をそれぞれ示している。グループＢのスイッチング素子がオフになると、一次コイルＮ１及び二次コイルＮ２に逆起電力が発生する。一次コイルＮ１の逆起電力は、グループＡのスイッチング素子ＱＡ１、ＱＡ２のボディダイオード（図６参照）に対して順バイアスであるが、逆流防止ダイオードＤＡ１が電流路に挿入されているため、入力側への還流は阻止され、エネルギーがトランスＴに留まる。
【００６７】
一方、二次コイルＮ２は、逆起電力により始端が高電位、終端が低電位となる（図７（ｅ）参照）。リアクトルＬＢ１には、矢印付き実線で示すように、順バイアスとなるフリーホイーリングダイオードＤＢ４を介して転流電流である電流ｉ６が流れ、出力端子ｐに出力され負荷に供給される（図７（ｉ）参照）。これにより、オン期間にリアクトルＬＢ１に蓄積された磁気エネルギーが放出される。
【００６８】
さらに、二次コイルＮ２の逆起電力（図７（ｅ）参照）により、ダイオードＤＢ３とＤＡ２が順バイアスとなる。これにより、矢印付き点線で示すように、フライバック電流ｉｆｂ２が流れ、リアクトルＬＡ１を通って出力端子ｐに出力され負荷に供給される（図７（ｄ）（ｇ）参照）。フライバック電流ｉｆｂ２は、一次側の逆流防止ダイオードＤＡ１により還流が阻止されたためにトランスＴに留められた磁気エネルギーの放出によるものである。
【００６９】
さらに、フライバック電流ｉｆｂ２がリアクトルＬＡ１を流れる（図７（ｇ）参照）ことにより、トランスＴＡの二次コイルであるリアクトルＬＡ２に相互誘導による起電力が生じる。リアクトルＬＡ２の起電力によりダイオードＤＡ５が順バイアスとなりかつこのときバイパス用スイッチング素子Ｓ１はオンであるので、矢印付き点線で示すように、短絡電流ｉｓ２が流れる（図７（ｈ）参照）。二次コイルＬＡ２に短絡電流ｉｓ２が流れることにより、リアクトルＬＡ１は、その両端が短絡された状態と等価になる。
【００７０】
リアクトルＬＡ１が短絡状態になることは、フライバック電流ｉｆｂ２がダイオードＤＡ２のカソードから直接、正の出力端子ｐへ出力される回路と等価になる。上述したモードIIにおける短絡状態のリアクトルＬＢ１のバイパス電流路と同様に、このモードIVにおいて短絡状態となるリアクトルＬＡ１の電流路もまた、フライバック電流用のバイパス電流路である。
【００７１】
このようなフライバック電流ｉｆｂ２が流れる結果、通常スイッチング素子のオフ時に二次コイルＮ２に生じる大きなスパイク電圧ｓｐ（図７（ｅ）の点線参照）が完全に抑制される。それにより、一次コイルＮ１に生じるスパイク電圧も抑制される。
【００７２】
図１の回路において、モードIVのフライバック電流ｉｆｂ２が流れる時にリアクトルＬＡ１を短絡状態とするための条件は、少なくともリアクトルＬＡ１にフライバック電流ｉｆｂ２が流れ始める時点において、リアクトルＬＡ２を含む短絡電流路が導通していることである。例えば、グループＢのスイッチング素子がオンからオフになる時点の前後を含む所定の期間にバイパス用スイッチング素子Ｓ１をオン状態に維持し、短絡電流路を導通させる。この所定の期間は、スパイク電圧ｓｐの抑制に必要かつ十分な長さであればよい。図２（ｃ）に、バイパス用スイッチング素子Ｓ１をオン状態に維持するべき期間の一例を符号ｔＩＶで示す。
【００７３】
逆に言えば、期間ｔＩＶ以外の期間については、バイパス用スイッチング素子Ｓ１はオン状態でもオフ状態でもよいと言える。仮に、短絡電流が流れるべきでないときにバイパス用スイッチング素子Ｓ１がオン状態であってもダイオードＤＡ５により短絡電流が阻止される。
【００７４】
但し、バイパス用スイッチング素子Ｓ１のオン期間は、グループＡのスイッチング素子のオン期間と重ならないようにする（図１の回路では、これらの制御電圧が互いに反転電圧であるので一応重ならない）。グループＡのスイッチング素子とバイパス用スイッチング素子Ｓ１のオン状態が重なった場合、モードＩでフォワード電流ｉ２が流れるリアクトルＬＡ１が短絡するからである。
【００７５】
＜その他＞
なお、図７（ｇ）（ｉ）では、リアクトルＬＡ１、ＬＢ１にそれぞれ流れるフライバック電流ｉｆｂ２、ｉｆｂ１の終わり部分が、次のオン期間のフォワード電流ｉ２、ｉ５の立ち上がり部分と重なっていない不連続モードとなっている。これは一例であり、この部分が重なる連続モードでもよい。
【００７６】
（２）第２の実施形態
（２−１）第２実施形態の回路構成
図８は、本発明の絶縁型スイッチング電源の第２の実施形態の回路例を概略的に示した図である。第２の実施形態において第１の実施形態と異なる点は、リアクトルＬＡ２、ＬＢ２の各々の短絡電流路を導通又は遮断するバイパス用スイッチング素子Ｓ１、Ｓ２に対する制御電圧の供給形態である。
【００７７】
第２の実施形態では、バイパス用スイッチング素子Ｓ１、Ｓ２の制御電圧ＶＳ１、ＶＳ２が、トランスＴのスイッチング部のスイッチング素子の制御電圧ＶＡ及びＶＢとは独立している。その他の回路構成は、図１の回路と同じである。
【００７８】
第１の実施形態の回路動作のモードIIで説明したように、バイパス用スイッチング素子Ｓ２は、少なくとも図２（ｄ）に示す期間ｔＩＩにおいてオンとされ、かつ、グループＢのスイッチング素子と同時にオンとならないように制御される。
【００７９】
また、第１の実施形態の回路動作のモードIVで説明したように、バイパス用スイッチング素子Ｓ１は、少なくとも図２（ｃ）に示す期間ｔＩＶにおいてオンとされ、かつ、グループＡのスイッチング素子と同時にオンとならないように制御される。このような条件を満たす制御電圧ＶＳ１及びＶＳ２の具体例については後述する。
【００８０】
（２−２）第２実施形態の回路動作
図９（ａ）は、図８の回路において、モードII（グループＡのスイッチング素子のオフ期間）に流れる特徴的な電流を、（ｂ）はモードIV（グループＢのスイッチング素子のオフ期間）に流れる特徴的な電流を概略的に示している。なお、モードＩ及びモードIIIの動作については、第１の実施形態と同じであるので説明を省略する。
【００８１】
図９（ａ）のモードIIにおいて、リアクトルＬＡ１を流れる転流電流ｉ３、リアクトルＬＢ１を流れるフライバック電流ｉｆｂ１、及び、リアクトルＬＢ２を流れる短絡電流ｉｓ１は、図４に示した第１の実施形態のモードIIにおけるものとそれぞれ同じである。このとき、フライバック電流ｉｆｂ１が流れるリアクトルＬＢ１は、短絡状態であり、フライバック電流用のバイパス電流路を形成している。
【００８２】
図９（ｂ）のモードIVにおいて、リアクトルＬＢ１を流れる転流電流ｉ６、リアクトルＬＡ１を流れるフライバック電流ｉｆｂ２、及び、リアクトルＬＡ２を流れる短絡電流ｉｓ２は、図６に示した第１の実施形態のモードIVにおけるものとそれぞれ同じである。このとき、フライバック電流ｉｆｂ２が流れるリアクトルＬＡ１は、短絡状態であり、フライバック電流のバイパス電流路を形成している。
【００８３】
（３）第３の実施形態
（３−１）第３実施形態の回路構成
図１０は、本発明の絶縁型スイッチング電源の第３の実施形態の回路例を概略的に示した図である。第３の実施形態において第１及び第２の実施形態と異なる点は、トランスＴの二次コイルＮ２とそれぞれ直列に接続されているリアクトルＬＡ及びリアクトルＬＢが、単独コイルである点である。
【００８４】
その替わりに、トランスＴの二次コイルＮ２の始端と正の出力端子ｐとの間に、ダイオードＤＡ５と第１のバイパス用スイッチング素子Ｓ１とを直列接続した第１のバイパス電流路が設けられている。同様に、トランスＴの二次コイルＮ２の終端と正の出力端子ｐとの間に、ダイオードＤＢ５と第２のバイパス用スイッチング素子Ｓ２とを直列接続した第２のバイパス電流路が設けられている。バイパス用スイッチング素子Ｓ１、Ｓ２は、第１及び第２のバイパス電流路をそれぞれ導通又は遮断するためにオンオフ制御される。
【００８５】
バイパス用スイッチング素子Ｓ１、Ｓ２の各々に対する制御電圧ＶＳ１、ＶＳ２についての説明は、第２の実施形態における制御電圧ＶＳ１、ＶＳ２と同じであるので省略する。第３の実施形態でも、バイパス用スイッチング素子Ｓ１、Ｓ２をオンオフ制御する電圧ＶＳ１、ＶＳ２が、トランスＴのスイッチング部のスイッチング素子をオンオフ制御する電圧ＶＡ及びＶＢとは独立している。
【００８６】
図１０の回路におけるバイパス用スイッチング素子Ｓ１、Ｓ２は、トランスＴの二次側回路と絶縁されていない。従って、制御電圧ＶＳ１、ＶＳ２を生成し、出力する制御部が、トランスＴの一次側回路に属する場合には、制御部とバイパス用スイッチング素子Ｓ１、Ｓ２との間をフォトカプラ等で絶縁することが好ましい。
【００８７】
上述した第１及び第２の実施形態の回路は、フライバック電流が流れる電流路上のリアクトルを一時的に短絡状態とすることにより、そのリアクトル自体をバイパス電流路とするのに対し、第３の実施形態の回路は、フライバック電流がリアクトルを経由せずに流れることができるバイパス電流路を別途設けた構成である。
【００８８】
（３−２）第３実施形態の回路動作
図１１（ａ）は、図１０の回路において、モードII（グループＡのスイッチング素子のオフ期間）に流れる特徴的な電流を、（ｂ）はモードIV（グループＢのスイッチング素子のオフ期間）に流れる特徴的な電流を概略的に示している。なお、モードＩ及びモードIIIの動作については、第１の実施形態と同じであるので説明を省略する。
【００８９】
図１１（ａ）のモードIIにおいて、リアクトルＬＡを流れる転流電流ｉ３は、図４に示した第１の実施形態のモードIIにおけるものと同じである。
【００９０】
一方、二次コイルＮ２に生じた逆起電力によるフライバック電流ｉｆｂ１は、ダイオードＤＡ３→二次コイルＮ２→ダイオードＤＢ５→バイパス用スイッチング素子Ｓ２→出力端子ｐの経路で流れる。よって、フライバック電流ｉｆｂ１は、第２のバイパス電流路を通り、リアクトルＬＢを通らない。
【００９１】
図１１（ｂ）のモードIVにおいて、リアクトルＬＢを流れる転流電流ｉ６は、図６に示した第１の実施形態のモードIVにおけるものと同じである。
【００９２】
一方、二次コイルＮ２に生じた逆起電力によるフライバック電流ｉｆｂ２は、ダイオードＤＢ３→二次コイルＮ２→ダイオードＤＡ５→バイパス用スイッチング素子Ｓ１→出力端子ｐの経路で流れる。よって、フライバック電流ｉｆｂ２は、第１のバイパス電流路を通り、リアクトルＬＡを通らない。
【００９３】
図１１（ａ）（ｂ）におけるバイパス電流路を通るフライバック電流ｉｆｂ１、ｉｆｂ２の効果は、第１の実施形態と同じである。すなわち、トランスＴの一次コイルＮ１及び二次コイルＮ２のスパイク電圧を抑制し、一次側のスイッチング部のスイッチング素子の耐圧特性を軽減できる。また、このスイッチング電源の力率を良好とし、電力変換効率を向上させる。
【００９４】
（４）バイパス電流路のスイッチング素子のオンオフ制御の例
図１２は、上述した第２又は第３の実施形態の回路において、バイパス用スイッチング素子Ｓ１、Ｓ２の制御電圧ＶＳ１、ＶＳ２の一例を示したタイミング図である。
【００９５】
図１２（ａ）（ｂ）はそれぞれスイッチング部のグループＡ、Ｂのスイッチング素子の制御電圧ＶＡ、ＶＢであり、（ｃ）がスイッチング素子Ｓ１の制御電圧ＶＳ１、（ｄ）がスイッチング素子Ｓ２の制御電圧ＶＳ２である。
【００９６】
上述した通り、スイッチング素子Ｓ１は、スイッチイング部のグループＡのスイッチング素子と同時にオン状態とならないことが好ましい。同様に、スイッチング素子Ｓ２は、スイッチング部のグループＢのスイッチング素子と同時にオン状態とならないことが好ましい。
【００９７】
図１２では、グループＡのスイッチング素子がオフになってからｔ１だけ遅れてスイッチング素子Ｓ１がオンになり、スイッチング素子Ｓ１がオフになってからｔ２だけ遅れてグループＡのスイッチング素子がオンになるように電圧ＶＡとＶＳ１が制御される。ｔ１及びｔ２の長さは、双方の素子が実質的に同時にオン状態とならない最小限の長さ以上に設定する。グループＢのスイッチング素子とスイッチング素子Ｓ２をそれぞれ制御する電圧ＶＢとＶＳ２についても同様である。
【００９８】
（５）短絡電流路又は迂回電流路のスイッチング素子のオンオフ制御の別の例
図１３は、上述した第２又は第３の実施形態において、バイパス用スイッチング素子Ｓ１、Ｓ２の制御電圧ＶＳ１、ＶＳ２の別の例を示したタイミング図である。
【００９９】
図１３（ａ）（ｂ）はそれぞれスイッチング部のグループＡ、Ｂのスイッチング素子の制御電圧ＶＡ、ＶＢであり、（ｃ）がスイッチング素子Ｓ１の制御電圧ＶＳ１、（ｄ）がスイッチング素子Ｓ２の制御電圧ＶＳ２である。
【０１００】
上述した通り、モードIIに関連して、スイッチング素子Ｓ２は、少なくとも図２（ｄ）に示す期間ｔＩＩにおいてオンとされることが好ましい。すなわち、電圧ＶＳ２は、少なくとも電圧ＶＡがオンからオフになる時点の前後の所定の期間ｔＩＩの間オンであればよい。図１３（ｄ）に示す電圧ＶＳ２は、電圧ＶＡと同時にオンになり、電圧ＶＡがオフになってから所定の期間ｔ３が経過した時点で、かつ、電圧ＶＢがオンになる前にオフとなる。
【０１０１】
また、モードIVに関連して、スイッチング素子Ｓ１は、少なくとも図２（ｃ）に示す期間ｔＩＶにおいてオンとされることが好ましい。すなわち電圧ＶＳ１は、少なくとも電圧ＶＢがオンからオフになる時点を含む前後の所定の期間ｔＩＶの間オンであればよい。図１３（ｃ）に示す電圧ＶＳ１は、電圧ＶＢと同時にオンになり、電圧ＶＢがオフになってから所定の期間ｔ４が経過した時点で、かつ、電圧ＶＡがオンになる前にオフとなる。
【０１０２】
期間ｔ３及び期間ｔ４の長さは、フライバック電流によるスパイク抑制効果が十分に得られるように設定する。
【０１０３】
図１４は、図１３に示した制御電圧ＶＳ２、ＶＳ２を生成する制御回路の一例を示す。制御回路１０Ａは、一次側のグループＡのスイッチング素子の制御電圧ＶＡを利用してバイパス用スイッチング素子Ｓ２の制御電圧ＶＳ２を生成する。制御回路１０Ｂは、グループＢのスイッチング素子の制御電圧ＶＢを利用してバイパス用スイッチング素子Ｓ１の制御電圧ＶＳ１を生成する。
【０１０４】
図１４では、制御電圧ＶＳ２を生成する制御回路１０Ａのみを具体的に示し、制御電圧ＶＳ１を生成する制御回路１０Ｂについては同じ構成であるので省略している。制御回路１０Ａは、タイマーＴＭ（一例としてタイマーＩＣ５５５）と、ゲートドライバＧＤ（一例としてハイサイドゲートドライバＦＡＮ７１７１）により構成されている。タイマーＴＭのＴＲＧ端子（トリガー端子）は、ＮチャネルＭＯＳＦＥＴであるスイッチング素子Ｑのドレインと接続されている。スイッチング素子Ｑのソースは制御回路１０Ａの接地点に接続され、ゲートに制御電圧ＶＡが入力される。
【０１０５】
例えば、図１３（ａ）のモードＩにおいて、制御電圧ＶＡがオフからオンになると、スイッチング素子Ｑがオンになり、ＴＲＧ端子がローレベル（接地点電位）となる。同時にダイオードＤが順バイアスとなるため、ＴＨ端子（閾値端子）もローレベルとなってＯＵＴ端子がハイレベルになる。ＴＨ端子がローレベルになると、コンデンサＣは放電状態となる。制御電圧ＶＡがオンの間は、ＯＵＴ端子はハイレベルに維持される。ＯＵＴ端子の電圧は、ゲートドライバＧＤに入力され、ゲートドライバＧＤのＨＯ端子から出力され、制御電圧ＶＳ２としてバイパス用スイッチング素子Ｓ２のゲートに印加される。ゲートドライバＧＤは、その入出力間の絶縁を確保することができる。ゲートドライバＧＤの出力側の基準電位であるＶｓ端子は、バイパス用スイッチング素子Ｓ２のソースに接続されている。
【０１０６】
制御電圧ＶＡがオンからオフになると、スイッチング素子Ｑがオフする。この時点では、タイマーＴＭのＯＵＴ端子はハイレベルを維持している。スイッチング素子Ｑがオフすると、ＴＲＧ端子がハイレベルとなりダイオードＤが遮断され、コンデンサＣが抵抗Ｒを通して充電され始める。タイマーＴＭのＴＨ端子の電位は、コンデンサＣと抵抗Ｒの時定数に従って上昇していき、所定の閾値電位を超えるとＯＵＴ端子がハイレベルからローレベルになる。これにより、制御電圧ＶＳ２がオフになり、バイパス用スイッチング素子Ｓ２がオフになる。図１３（ｄ）に示した制御電圧ＶＡのオフから制御電圧ＶＳ２のオフまでの時間ｔ３は、タイマーＴＭにより設定可能である。図１３に示したタイマーＩＣ を用いずに、コンデンサと抵抗の時定数のみでタイミングを決める簡易な構成も可能である。しかしながら、タイマーＩＣを用いることによって、オン及びオフを正確な時点で行うことができる。加えて、タイマーＩＣを用いることによって、ＰＷＭ信号の周波数も変更可能であるため、ＰＷＭデューティ比の分解能を上げることができる。
【０１０７】
（６）第４の実施形態
（６−１）第４の実施形態の回路例
図１５は、本発明の絶縁型スイッチング電源の第４の実施形態の回路例を概略的に示した図である。第４の実施形態は、図１０に示した第３の実施形態の変形形態である。図１５では、トランスＴの一次側の構成は上述した各実施形態と同じであるので、一次コイルＮ１のみを示し、他の構成要素の図示を省略している。
【０１０８】
図１５の回路では、トランスＴの二次コイルに中間タップｃｔが設けられ、中間タップｃｔを境として二次コイルＮ２１とＮ２２に分かれている。中間タップｃｔは、負の出力端子ｎと接続されており、接地電位である。
【０１０９】
第１のバイパス電流路は、第１の二次コイルＮ２１の始端と正の出力端子ｐとの間に、直列接続されたダイオードＤＡ５とバイパス用スイッチング素子Ｓ１により構成されている。同様に、第２のバイパス電流路は、第２の二次コイルＮ２２の終端と正の出力端子ｐとの間に、直列接続されたダイオードＤＢ５とバイパス用スイッチング素子Ｓ２により構成されている。第１及び第２のバイパス電流路の構成は、図１０の回路と同じである。図１５の回路では、バイパス用スイッチング素子Ｓ１、Ｓ２の制御電圧が、外部から供給されるのではなく、二次側回路内で生成される点が図１０の回路とは異なる。
【０１１０】
このために図１５の回路では、ＭＯＳＦＥＴであるスイッチング素子Ｓ１のゲートとソース（出力端子ｐ）との間に、コンデンサＣＡが接続されている。さらに、コンデンサＣＡと並列にツェナーダイオードＺＡが接続されている。ツェナーダイオードＺＡは、アノードがソースに、カソードがゲートに接続されている。コンデンサＣＡとゲートとの接続点は、抵抗Ｒ１を介して第２の二次コイルＮ２２の終端に接続されている。抵抗Ｒ１は、コンデンサＣＡに突入電流が流れないように設けている。
【０１１１】
同様に、ＭＯＳＦＥＴであるスイッチング素子Ｓ２のゲートとソース（出力端子ｐ）との間に、コンデンサＣＢが接続されている。さらに、コンデンサＣＢと並列にツェナーダイオードＺＢが接続されている。ツェナーダイオードＺＢは、アノードがソースに、カソードがゲートに接続されている。コンデンサＣＢとゲートとの接続点は、抵抗Ｒ２を介して第１の二次コイルＮ２１の始端に接続されている。抵抗Ｒ２は、コンデンサＣＢに突入電流が流れないように設けている。
【０１１２】
図１５の回路では、整流部は、正側ダイオードＤＡ２と負側ダイオードＤＢ２のみからなる。ダイオードＤＡ４及びＤＢ４はフリーホイーリングダイオードである。
【０１１３】
別の例として、図１５の回路の二次コイルＮ２１、Ｎ２２及び２つのダイオードＤＡ２、ＤＢ２からなる整流部を、図１０の回路の二次コイルＮ２及び４つのダイオードＤＡ２、ＤＡ３、ＤＢ２、ＤＢ３からなる整流部に置き換えることもできる。
それとは逆に、図１、図８及び図１０の回路において、二次コイルＮ２及び整流部を図１５の回路のように置き換えることもできる。
【０１１４】
（６−２）第４の実施形態の動作
図１６〜図１８を参照して、図１５に示した第４の実施形態の回路の動作を説明する。
【０１１５】
図１６は、図１５の回路における各スイッチング素子のオンオフ制御信号又はオンオフ状態を示すタイミング図である。図１６（ａ）（ｂ）は、図１５には図示されていないが、一次側フルブリッジ回路のグループＡ、Ｂの各スイッチング素子の制御電圧ＶＡ、ＶＢである。図１６（ｃ）は、スイッチング素子Ｓ１の制御電圧ＶＳ１である。図１６（ｄ）は、スイッチング素子Ｓ２の制御電圧ＶＳ２である。ここで、電圧ＶＳ１及び電圧ＶＳ２は、それぞれコンデンサＣＡ及びコンデンサＣＢの両端電圧である。図１６（ｅ）は、スイッチング素子Ｓ１のオンオフ状態を示し、図１６（ｆ）は、スイッチング素子Ｓ２のオンオフ状態を示す。
【０１１６】
図１６中の矢印は、上述した実施形態と同様に、４つのモードＩ、II、III、IVの各々において特徴的な電流が流れる時点の一例を示している。図１７（ａ）（ｂ）はそれぞれモードＩ、IIの時点、そして図１８（ａ）（ｂ）はそれぞれモードIII、IVの時点において、図１５の回路に流れる特徴的な電流を概略的に示している。
【０１１７】
＜モードＩ＞
図１７（ａ）のモードＩは、一次側のグループＡのスイッチング素子がオンになった直後に二次側に流れる電流を示している。二次側の矢印付き実線は、第１の二次コイルＮ２１に生じた起電力により流れるフォワード電流ｉ２を示している。電流ｉ２は、順バイアスとなるダイオードＤＡ２及びリアクトルＬＡを通って出力端子ｐへ出力される。フォワード電流ｉ２によりリアクトルＬＡは励磁されて磁気エネルギーが蓄積される。ダイオードＤＡ４、ＤＢ２、ＤＢ４、ＤＢ５は、逆バイアスとなるため電流が流れない。
【０１１８】
図１７（ａ）において、矢印付き一点鎖線は、フォワード電流ｉ２から分岐してコンデンサＣＢを充電する電流ｉｃｂを示している。コンデンサＣＢは、モードＩの直前には放電状態すなわち両端電圧ＶＳ２が零の状態である（図１６（ｄ）参照）。コンデンサＣＢは、充電されることによりその両端電圧ＶＳ２が上昇していく。電圧ＶＳ２がスイッチング素子Ｓ２のゲート電圧Ｖｇを超えるとスイッチング素子Ｓ２がオンとなる（図１６（ｆ）参照）。並列接続されたツェナーダイオードＺＢにより、コンデンサＣＢの両端電圧ＶＳ２の上限はツェナー電圧Ｖｚとなる。
【０１１９】
スイッチング素子Ｓ２がオンとなっても、ダイオードＤＢ５は逆バイアスであるため、モードＩでは、スイッチング素子Ｓ２を含む第２のバイパス電流路に電流は流れない。
【０１２０】
また、スイッチング素子Ｓ１は、コンデンサＣＡが放電状態であり、両端電圧ＶＳ１が零であるのでオフ状態である。従って、ダイオードＤＡ５が起電力に対して順バイアスであっても、スイッチング素子Ｓ１を含む第１のバイパス電流路に電流は流れない。
【０１２１】
＜モードII＞
図１７（ｂ）のモードIIにおいて、矢印付き実線で示すリアクトルＬＡを流れる転流電流ｉ３は、図１１（ａ）に示した第３の実施形態のモードIIにおけるものと同じである。
【０１２２】
一方、矢印付き点線は、二次コイルＮ２２に生じた逆起電力によるフライバック電流ｉｆｂ１を示している。二次コイルＮ２２→ダイオードＤＢ５→スイッチング素子Ｓ２→出力端子ｐの経路で流れる。よって、フライバック電流ｉｆｂ１は、第２のバイパス電流路を通り、リアクトルＬＢを通らない。
【０１２３】
さらに、矢印付き一点鎖線は、二次コイルＮ２１に生じた逆起電力によるコンデンサＣＢの放電電流ｉｄｂを示している。コンデンサＣＢは、放電することによりその両端電圧ＶＳ２が低下していく。電圧ＶＳ２がスイッチング素子Ｓ２のゲート電圧Ｖｇより低下するとスイッチング素子Ｓ２はオフとなる（図１６（ｆ）参照）。図１６（ｆ）に示すように、電圧ＶＡがオフ電圧となってからスイッチング素子Ｓ２がオフになるまでの期間ｔ３の長さは、フライバック電流ｉｆｂ１によるスパイク抑制効果が十分に得られるように設定する。当然ながら、スイッチング素子Ｓ２は、電圧ＶＢがオン電圧となる前にオフにならなければならない。
【０１２４】
＜モードIII＞
図１８（ａ）のモードIIIは、一次側のグループＢのスイッチング素子がオンになった直後に二次側に流れる電流を示している。電流の流れが対称的である点が異なるだけで、図１７（ａ）のモードＩと実質的に同じである。二次側の矢印付き実線は、第２の二次コイルＮ２２に生じた起電力により流れるフォワード電流ｉ５を示し、ダイオードＤＢ２及びリアクトルＬＢを通って出力端子ｐへ出力される。
【０１２５】
図１８（ａ）において、矢印付き一点鎖線は、フォワード電流ｉ５から分岐してコンデンサＣＡを充電する電流ｉｃａを示している。コンデンサＣＡは、モードIIIの直前には放電状態すなわち両端電圧ＶＳ１が零の状態である（図１６（ｃ）参照）。コンデンサＣＡが充電され、両端電圧ＶＳ１がスイッチング素子Ｓ１のゲート電圧Ｖｇを超えるとスイッチング素子Ｓ１がオンとなる（図１６（ｅ）参照）。並列接続されたツェナーダイオードＺＡにより、コンデンサＣＡの両端電圧ＶＳ１の上限はツェナー電圧Ｖｚとなる。
【０１２６】
スイッチング素子Ｓ１がオンとなっても、ダイオードＤＡ５は逆バイアスであるため、モードIIIでは、スイッチング素子Ｓ１を含む第１のバイパス電流路に電流は流れない。
【０１２７】
また、スイッチング素子Ｓ２は、コンデンサＣＢが放電状態であり、両端電圧ＶＳ２が零であるのでオフ状態である。従って、ダイオードＤＢ５が起電力に対して順バイアスであっても、スイッチング素子Ｓ２を含む第２のバイパス電流路に電流は流れない。
【０１２８】
＜モードIV＞
図１８（ｂ）のモードIVにおいて、矢印付き実線で示すリアクトルＬＢを流れる転流電流ｉ６は、図１１に示した第３の実施形態のモードIVにおけるものと同じである。
【０１２９】
一方、矢印付き点線は、二次コイルＮ２１に生じた逆起電力によるフライバック電流ｉｆｂ２を示している。二次コイルＮ２１→ダイオードＤＡ５→スイッチング素子Ｓ１→出力端子ｐの経路で流れる。よって、フライバック電流ｉｆｂ２は、第１のバイパス電流路を通り、リアクトルＬＡを通らない。
【０１３０】
さらに、矢印付き一点鎖線は、二次コイルＮ２２に生じた逆起電力によるコンデンサＣＡの放電電流ｉｄａを示している。コンデンサＣＡは、放電することによりその両端電圧ＶＳ１が低下していく。電圧ＶＳ１がスイッチング素子Ｓ１のゲート電圧Ｖｇより低下するとスイッチング素子Ｓ１はオフとなる（図１６（ｅ）参照）。図１６（ｅ）に示すように、電圧ＶＢがオフ電圧となってからスイッチング素子Ｓ１がオフになるまでの期間ｔ４の長さは、フライバック電流ｉｆｂ２によるスパイク抑制効果が十分に得られるように設定する。当然ながら、スイッチング素子Ｓ１は、電圧ＶＡがオン電圧となる前にオフにならなければならない。
【０１３１】
第４の実施形態は、第２及び第３の実施形態のようにバイパス電流路のスイッチング素子の制御電圧を外部から供給する場合と比べて、回路をシンプル化できる。特に、第４の実施形態では、一次側のスイッチング素子との同期を考慮して二次側のバイパス電流路のスイッチング素子をオンオフ制御する必要がない点で好適である。
【０１３２】
（７）第５の実施形態
（７−１）第５の実施形態の回路例
図１９は、本発明の絶縁型スイッチング電源の第５の実施形態の回路例を概略的に示した図である。第５の実施形態は、第４の実施形態の変形形態である。
【０１３３】
第５の実施形態では、二次側における外付けリアクトルが、リアクトルＬＡのみである。すなわち、第４の実施形態における２つのリアクトルＬＡ、ＬＢの機能を、リアクトルＬＡが兼任している。
【０１３４】
図１９の回路においては、図１５の回路におけるリアクトルＬＢ及びダイオードＤＢ４が無く、ダイオードＤＢ２のカソードが、リアクトルＬＡの一端とダイオードＤＡ２のカソードとの接続点に接続されている。
【０１３５】
（７−２）第５の実施形態の動作
図２０及び図２１を参照して、図１９に示した第５の実施形態の回路の動作を説明する。なお、図１９の回路のタイミング図は、図１６に示した第４の実施形態のそれと全く同じなので、図１６も参照して説明する。
【０１３６】
＜モードＩ、II＞
図２０（ａ）（ｂ）のモードＩ、IIは、図１７（ａ）（ｂ）のモードＩ、IIと全く同じ電流がそれぞれ流れる。
【０１３７】
＜モードIII＞
図２１（ａ）のモードIIIでは、フォワード電流ｉ５が、ダイオードＤＢ２からリアクトルＬＡを通って出力端子ｐへ出力される。従って、フォワード電流ｉ５によりリアクトルＬＡに磁気エネルギーが蓄積される。コンデンサＣＡの充電電流ｉｃａは、図１８（ａ）と同じである。
【０１３８】
＜モードIV＞
図２１（ｂ）のモードIVでは、順バイアスとなるフリーホイーリングダイオードＤＡ４を介して転流電流ｉ６が流れて出力され、リアクトルＬＡに蓄積された磁気エネルギーが放出される。フライバック電流ｉｆｂ２及びコンデンサＣＡの放電電流ｉｄａは、図１８（ｂ）と同じである。
【０１３９】
なお、第５の実施形態は、図１０に示した第３の実施形態にも適用可能である。図示しないが、その場合、図１０の回路において、リアクトルＬＢとダイオードＤＢ４を取り除き、ダイオードＤＢ２のカソードを、リアクトルＬＡの一端とダイオードＤＡ２のカソードとの接続点に接続する。
【０１４０】
（８）トランスＴの一次側の別の実施形態
図２２（ａ）（ｂ）は、上述した第１〜第５の実施形態の回路における一次側のスイッチング部の別の構成例である。回路の他の部分は図示を省略する。また、図中にスイッチング部のオン期間の電流ｉ１、ｉ４を示している。
【０１４１】
図２２（ａ）の構成例は、プッシュプル回路を基本とする。プッシュプル回路では、一次コイルを第１一次コイルＮ１１と第２一次コイルＮ１２の２つの部分に分割して用いる。この場合、複数のスイッチング素子におけるグループＡはスイッチング素子ＱＡのみを含み、グループＢはスイッチング素子ＱＢのみを含む。スイッチング素子ＱＡとスイッチング素子ＱＢは、一定のインターバルを空けて背反的にオンオフ制御される。各スイッチング素子と一次コイルＮ１１、Ｎ１２との間に、各スイッチング素子のボディダイオードに対して逆方向に直列接続された逆流防止ダイオードＤＡ、ＤＢが挿入配置されている。回路動作については、上述した各実施形態と同様である。
【０１４２】
図２２（ｂ）の構成例は、ハーフブリッジ回路を基本とする。ハーフブリッジ回路では、複数のスイッチング素子におけるグループＡはスイッチング素子ＱＡのみを含みかつコンデンサＣＡ１と直列接続され、グループＢはスイッチング素子ＱＢのみを含みかつコンデンサＣＢ１と直列接続されている。スイッチング素子ＱＡとスイッチング素子ＱＢは、一定のインターバルを空けて背反的にオンオフ制御される。各スイッチング素子と一次コイルとの間に、各スイッチング素子のボディダイオードに対して逆方向に直列接続された逆流防止ダイオードＤＡ、ＤＢが挿入配置されている。回路動作については、上述した各実施形態と同様である。
【０１４３】
（９）トランス二次側の別の実施形態
図２３は、第１又は第２の実施形態における二次側の整流部及び平滑部の別の構成例である。図２３の構成例における整流部も、図１と同様に４つのダイオードＤＡ２、ＤＡ３、ＤＢ２、ＤＢ３からなるブリッジ整流回路を基本とする形態である。第１の対の正側ダイオードＤＡ２と負側ダイオードＤＡ３が直列接続され、第２の対の正側ダイオードＤＢ２と負側ダイオードＤＢ３が直列接続されている。直列接続された第１の対のダイオードＤＡ２とＤＡ３の接続点は二次コイルＮ２の始端に接続され、直列接続された第２の対のダイオードＤＢ２とＤＢ３の接続点は二次コイルＮ２の終端に接続されている。正側ダイオードＤＡ２、ＤＢ２のカソードは、平滑コンデンサの正極端及び正の出力端子ｐに接続されている。
【０１４４】
図２３の構成例では、負側ダイオードＤＡ３、ＤＢ３のアノードが、通常のブリッジ整流回路とは異なり互いに接続されていない。一方の負側ダイオードＤＡ３のアノードは、リアクトルＬＡ１の終端に接続され、他方の負側ダイオードＤＢ３のアノードは、リアクトルＬＢ１の終端に接続されている。リアクトルＬＡ１とリアクトルＬＢ１の始端は、平滑コンデンサの負極端及び負の出力端ｎに接続されている。リアクトルＬＡ１とリアクトルＬＢ１は、それぞれ二次コイルであるリアクトルＬＡ２とリアクトルＬＢ２を設けてトランスを構成している。さらに、フリーホイーリングダイオードＤＡ４、ＤＢ４が接続されている。
【０１４５】
本発明の絶縁型スイッチング電源の二次側回路は、図示した回路以外にも多様に構成することができる。オン期間にフォワード電流が流れ、オフ期間に外付けリアクトルの磁気エネルギーを放出するリアクトル電流が流れると共に、二次コイルに生じる逆起電力によりフライバック電流が流れることができる構成を備えていればよい。
【０１４６】
そして本発明の絶縁型スイッチング電源の二次側回路は、フライバック電流が流れるとき、フライバック電流の電流路上のリアクトルを一時的に短絡状態としてフライバック電流を出力するか、又は、リアクトルを迂回する別の電流路を通してフライバック電流を出力するように構成される。
【０１４７】
（１０）まとめ
本発明の絶縁型スイッチング電源は、基本的にフォワード方式の動作を有することにより大出力に適用可能であると共に、フライバック電流が流れることにより力率が改善される。よって、大出力のワンコンバータ方式の絶縁型スイッチング電源として好適である。力率改善機能を備えかつ回路の構成を簡素化できると共に、絶縁型であるので安全性が確保される。
【０１４８】
メイントランスの一次側において２つのグループのスイッチング素子を、所定のインターバルを設けて背反的にスイッチングすることにより、単一スイッチング素子をスイッチングする場合に比べて大出力が得られる。なお、上述した各実施形態おいて、スイッチング部におけるスイッチング素子は、ＭＯＳＦＥＴ以外にＩＧＢＴ又はバイポーラトランジスタでもよい。
【０１４９】
また、スイッチング部に設けた逆流防止ダイオードは、入力側への還流を防ぐ目的であるのでスイッチング素子を用いてもよい。その場合、逆流防止スイッチング素子は、還流阻止のために適切なタイミングでオンオフ制御される。逆流防止スイッチング素子のボディダイオードは、スイッチング素子のそれとは逆向きとなるように接続される。本明細書では、これらの逆流防止ダイオード及び逆流防止スイッチング素子をまとめて、「逆流防止素子」と称する。
【０１５０】
また、通常のフォワード方式における直列リアクトルを並列な２回路に分割することにより、電流供給能力が増えると共に、一次側の駆動負担が軽減される。なお、二次側の回路構成におけるダイオードは、同等の機能を有する整流素子に置き換えることができ、そのような整流素子もダイオードの概念に含まれるものとする。
【０１５１】
以上に説明した本発明の絶縁型スイッチング電源は、図示の構成例に限られず、本発明の主旨に沿う範囲において多様な変形が可能である。
【符号の説明】
【０１５２】
ｐ  正の出力端
ｎ  負の出力端
Ｔ、ＴＡ、ＴＢ  トランス
ＬＡ１、ＬＢ１  リアクトル（一次コイル）
ＬＡ２、ＬＢ２  リアクトル（二次コイル）
ＬＡ、ＬＢ  リアクトル  
Ｎ１、Ｎ１１、Ｎ１２  一次コイル
Ｎ２、Ｎ２１、Ｎ２２  二次コイル
ＱＡ１、ＱＡ２、ＱＢ１、ＱＢ２、Ｓ１、Ｓ２  スイッチング素子（ＭＯＳＦＥＴ）
ＤＡ１、ＤＢ１、ＤＡ、ＤＢ  逆流防止ダイオード
ＤＡ２、ＤＡ３、ＤＢ２、ＤＢ３  ダイオード
ＤＡ４、ＤＢ４  フリーホイーリングダイオード
ＤＡ５、ＤＢ５  ダイオード
Ｃ  平滑コンデンサ
ＣＡ、ＣＢ  コンデンサ
ＺＡ、ＺＢ  ツェナーダイオード
【図１】
2019165617.tif 000003
【図２】
2019165617.tif 000004
【図３】
2019165617.tif 000005
【図４】
2019165617.tif 000006
【図５】
2019165617.tif 000007
【図６】
2019165617.tif 000008
【図７】
2019165617.tif 000009
【図８】
2019165617.tif 000010
【図９】
2019165617.tif 000011
【図１０】
2019165617.tif 000012
【図１１】
2019165617.tif 000013
【図１２】
2019165617.tif 000014
【図１３】
2019165617.tif 000015
【図１４】
2019165617.tif 000016
【図１５】
2019165617.tif 000017
【図１６】
2019165617.tif 000018
【図１７】
2019165617.tif 000019
【図１８】
2019165617.tif 000020
【図１９】
2019165617.tif 000021
【図２０】
2019165617.tif 000022
【図２１】
2019165617.tif 000023
【図２２】
2019165617.tif 000024
【図２３】
2019165617.tif 000025